(57)【特許請求の範囲】
【請求項１】
複数の被制御装置が通信線を介して接続された集中制御システムにおいて、
各前記被制御装置は、いずれか一の前記被制御装置に対応するワイヤレスリモートコントローラから送信される動作制御データを受信する動作制御データ受信手段と、
前記受信した動作制御データを前記通信線を介して転送する動作制御データ転送手段と、
前記通信線を介して他の被制御装置から入力された動作制御データ及び前記ワイヤレスリモートコントローラから直接受信した動作制御データを比較し、前記通信線を介して入力された動作制御データ及び前記ワイヤレスリモートコントローラから直接受信した動作制御データが等しいか否かを判別する判別手段と、
前記判別手段の判別に基づいて、前記通信線を介して他の被制御装置から入力された動作制御データ及び前記ワイヤレスリモートコントローラから直接受信した動作制御データが等しい場合には、当該直接受信した動作制御データを廃棄し、前記動作制御データ転送手段の動作を禁止する転送禁止手段と、
を備えたことを特徴とする集中制御システム。
【発明の詳細な説明】
【０００１】
【産業上の利用分野】
本発明は、集中制御システムに係り、特に通信回線を介して接続された複数の空調装置を集中制御する集中制御システムに関する。
【０００２】
【従来の技術】
従来より共用の室外機及び共用のメインコントローラを設け、複数の室内機をサブコントローラ及び通信回線を介してメインコントローラに接続し、システム全体の制御はメインコントローラで行なうとともに、各使用者側に設けられたサブコントローラにより当該サブコントローラに接続された室内機のローカルな制御を行なうようにした冷暖房集中管理システムがある。
【０００３】
この様な冷暖房集中管理システムでは、同一の冷暖房能力を得るために、個別に室外機及び室内機を設ける場合と比較してコスト及び設置面積等の点から有利であった。
【０００４】
ところで、この様な冷暖房集中管理システムにおいて、リモートコントローラ（ワイヤードコントローラ及びリモートコントローラを含む）を設ける場合には、図４に示すように、各リモートコントローラ２０Ａは受信ユニット２０Ｂを介して一の室内機２０に一対一に対応しており、例えば、一の室内にリモートコントローラ２０Ａを有する室内機２０が複数設置されているような場合等であっても、各室内機２０を制御する場合には、対応するリモートコントローラ２０Ａを操作する必要があった。
【０００５】
【発明が解決しようとする課題】
上記従来の冷暖房集中管理システムにおいては、上述の如く各室内機毎に対応するリモートコントローラを操作する必要があるので、例えば、全ての室内機について運転を止めたい場合等には、同一の室内に設置された室内機であっても、各室内機に対応するリモートコントローラを用いて操作しなければならず、操作の手間が煩雑であるとともに、場合によっては運転の切忘れ等が発生するおそれがあるという問題点があった。
【０００６】
本発明の目的は、被制御装置が多数接続された集中制御システムにおいて、各被制御装置に対応するコントローラのうち一のコントローラを操作することにより所望の被制御装置を制御することが可能な遠隔制御装置を提供することにある。
【０００７】
【課題を解決するための手段】
上記課題を解決するため、請求項１記載の発明は、複数の被制御装置が通信線を介して接続された集中制御システムにおいて、各前記被制御装置は、いずれか一の前記被制御装置に対応するワイヤレスリモートコントローラから送信される動作制御データを受信する動作制御データ受信手段と、前記受信した動作制御データを前記通信線を介して転送する動作制御データ転送手段と、前記通信線を介して他の被制御装置から入力された動作制御データ及び前記ワイヤレスリモートコントローラから直接受信した動作制御データを比較し、前記通信線を介して入力された動作制御データ及び前記ワイヤレスリモートコントローラから直接受信した動作制御データが等しいか否かを判別する判別手段と、前記判別手段の判別に基づいて、前記通信線を介して他の被制御装置から入力された動作制御データ及び前記ワイヤレスリモートコントローラから直接受信した動作制御データが等しい場合には、当該直接受信した動作制御データを廃棄し、前記動作制御データ転送手段の動作を禁止する転送禁止手段と、を備えて構成する。
【００１２】
【作用】
請求項１記載の発明によれば、動作制御データ受信手段は、いずれか一の被制御装置に対応するワイヤレスリモートコントローラから送信される動作制御データを受信する。動作制御データ転送手段は、受信した動作制御データを通信線を介して他の被制御装置に転送する。各被制御装置の判別手段は、通信線を介して他の被制御装置から入力された動作制御データ及び前記ワイヤレスリモートコントローラから直接受信した動作制御データを比較し、通信線を介して入力された動作制御データ及びワイヤレスリモートコントローラから直接受信した動作制御データが等しいか否かを判別する。転送禁止手段は、判別手段の判別に基づいて、通信線を介して他の被制御装置から入力された動作制御データ及びワイヤレスリモートコントローラから直接受信した動作制御データが等しい場合には、当該直接受信した動作制御データを廃棄し、動作制御データ転送手段の動作を禁止する。その結果、同一の動作制御データを複数回受信することにより生じる誤制御を防止することができる。
【００１７】
【実施例】
次に、本発明の好適な実施例を図面に基づいて説明する。
【００１８】
図１に、リング型のネットワークを通信バス（通信線）を介して構築した冷暖房システムの概要構成ブロック図を示す。
【００１９】
冷暖房システム１は、通信バス２を介して直列に接続された第１〜第４室内機３〜７、第１室外機８及び第２室外機９並びに独立リモート制御装置１０を備えて構成されている。
【００２０】
第１室内機３には、ワイヤレスリモートコントローラ（以下、ワイヤレスリモコンという。）３Ａの送信データを受信するための受信ユニット３Ｂが接続されている。
【００２１】
第３室内機５〜第５室内機７には、それぞれワイヤードリモートコントローラ（以下、ワイヤードリモコンという。）５Ａ〜７Ａが接続されている。
【００２２】
独立リモート制御装置１０は、ワイヤレスリモコン３Ａの送信データを受信するための受信ユニット１０Ａを備えている。
【００２３】
次に、図２に通信バス２上を転送される動作制御データとしての制御データのデータ構造を示す。
【００２４】
制御データＤＣは、当該制御データＤＣの発信元を特定するための発信元アドレスデータＳＡと、当該制御データの受信先を特定するための相手先アドレスデータＤＡと、例えば温度制御等の制御種別の大分類を表わす制御コードデータＣＣと、制御種別の小分類を表わすコマンドコードデータＣＭＤと、制御対象の被制御装置（全ての機器、特定の室内機、特定の室外機等）を特定するための特定データＩＤ、より具体的な制御内容（例えば、室内温度を何℃に設定するか等）を表わす制御指示データＣＩと、転送された制御データＤＣのエラーチェックを行うためのエラーチェックデータＥＣと、を備えて構成されている。
【００２５】
特定データＩＤは、全ての被制御装置を特定するためには、全ての被制御装置に対応するコード、例えば、“ＦＦ”（１６進数）が割当てられる。
【００２６】
また、特定の装置を特定するためには、予め各装置に設定したアドレスデータを割当てることとなる。
【００２７】
次に、図３のフローチャートを参照して動作の一例を受信ユニット３Ｂの動作を主として説明する。この場合において、ワイヤレスリモコン３Ａは、制御データＤＣを送信する際には、同一の制御データＤＣを所定の回数だけ繰り返し送信するものとする。
【００２８】
受信ユニット３Ｂは、何等かの信号を受信しているか否かを判別し（ステップＳ１）、信号を受信していないと判別した場合には、再び待機状態となる。
【００２９】
ステップＳ１の判別において、何等かの信号を受信していると判別した場合には、当該受信した信号が正規の信号、すなわち、正規の仕様にのっとった制御データＤＣであるか否かを判別する（ステップＳ２）。
【００３０】
ステップＳ２の判別において、受信している信号が正規の仕様にのっとった制御データＤＣではない場合には、再び待機状態となる。
【００３１】
ステップＳ２の判別において、受信している信号が正規の仕様にのっとった制御データＤＣである場合には、受信状態に移行し（ステップＳ３）、受信した制御データＤＣを図示しないメモリに順次格納する（ステップＳ４）。
【００３２】
つづいて、受信ユニット３Ｂは、受信が終了したか否かを判別し（ステップＳ５）、いまだ受信が終了していない場合には、ステップＳ３〜ステップＳ５の処理を繰り返す。
【００３３】
ステップＳ５の判別において、受信を終了したと判別した場合には、受信ユニット３Ｂは、通信バス２が使用可能状態か否か（回線空き状態か否か）を判別する（ステップＳ６）。
【００３４】
これと並行して第１室内機３は、当該受信を終了した制御データＤＣが自己を制御対象とするものである場合には、対応する動作制御を行う。
【００３５】
ステップＳ６の判別において、通信バス２が使用可能状態である場合には、当該受信した制御データＤＣを通信バス２を介して他の装置（例えば、第２室内機４）に転送（送信）する（ステップＳ７）。
【００３６】
ステップＳ６の判別において、通信バス２が使用状態である場合には、通信バス２上のデータをサンプリングし、自己が受信した制御データＤＣと同一のデータか否かを判別する（ステップＳ８）。
【００３７】
ステップＳ８の判別において、自己が受信した制御データＤＣとは異なる制御データＤＣである場合には、通信バス２が使用可能状態となるまで待機し、その後、ステップＳ４において図示しないメモリに記憶した制御データＤＣを通信バス２を介して他の装置（例えば、第２室内機４）に転送（送信）して（ステップＳ７）、再び待機状態となる。
【００３８】
ステップＳ８の判別において、通信バス２上の制御データＤＣが自己が受信した制御データＤＣと同一の制御データＤＣである場合には、転送する必要が内ので、データを消去して処理を終了し、再び待機状態となる。
【００３９】
以上の説明のように本実施例によれば、一のワイヤレスリモートコントロール送受信ユニット３Ａ、３Ｂを介して全ての被制御装置、第１〜第５室内機３〜７並びに第１室外機８及び第２室外機９を制御することが可能となり、全ての被制御装置を同時に運転／停止を行ったり、個別に制御を行ったりすることができ、操作性が向上する。
【００４０】
以上の実施例においては、ワイヤレスリモコン３Ａ及び受信ユニット３Ｂを用いて第１室内機３を介して、冷暖房システム１を制御していたが、同様に第３室内機５〜第５室内機７に設けられたワイヤードリモコン５Ａ〜７Ａのいずれかを介して制御を行うことも可能である。
【００４１】
また、独立リモート制御装置１０の受信ユニット１０Ａを用い、ワイヤレスリモコン３Ａの送信データを受信することにより、独立リモート制御装置１０を介して制御を行うようにすることも可能である。これにより室内機の配置に拘らず、独立リモート制御装置１０を設置した任意の位置から制御を行うことが可能となる。
【００４２】
さらに、上記実施例においては、一時に入力される制御データＤＣは一つであるものとして説明していたが、複数の制御データＤＣが複数のリモートコントローラから同時に入力された場合については、各制御データＤＣ（より詳細には、制御コードデータＣＣ及びコマンドコードデータＣＭＤ）に優先順位を予め設定しておき、この優先順位に基づいて優先順位の高い制御データＤＣを処理するように構成することも可能である。
【００４３】
【発明の効果】
請求項１記載の発明によれば、判別手段は、通信線を介して他の被制御装置から入力された動作制御データ及びワイヤレスリモートコントローラから直接受信した動作制御データを比較し、通信線を介して入力された動作制御データ及びワイヤレスリモートコントローラから直接受信した動作制御データが等しいか否かを判別し、転送禁止手段は、判別手段の判別に基づいて、通信線を介して他の被制御装置から入力された動作制御データ及びワイヤレスリモートコントローラから直接受信した動作制御データが等しい場合には、当該直接受信した動作制御データを廃棄し、動作制御データ転送手段の動作を禁止するので、同一の動作制御データを複数回受信することにより生じる誤制御を防止することができ、システムの信頼性を向上させることができる。
【図面の簡単な説明】
【図１】本発明の冷暖房システムの概要構成を示すブロック図である。
【図２】転送データのフォーマット示す図である。
【図３】冷暖房システムの制御系の動作処理フローチャートである。
【図４】従来の冷暖房システムの概要構成を示すブロック図である。
【符号の説明】
１  冷暖房システム
２  通信バス
３  第１室内機
３Ａ  ワイヤレスリモートコントローラ
３Ｂ  受信ユニット
４  第２室内機
５  第３室内機
５Ａ  ワイヤードリモートコントローラ
６  第４室内機
６Ａ  ワイヤードリモートコントローラ
７  第５室内機
７Ａ  ワイヤードリモートコントローラ
８  第１室外機
９  第２室外機
１０  独立リモート制御装置
１０Ａ  受信ユニット
ＳＡ  発信元アドレスデータ
ＣＣ  制御コードデータ
ＣＩ  制御指示データ
ＣＭＤ  コマンドコードデータ
ＤＡ  相手先アドレスデータ
ＤＣ  制御データ
ＥＣ  エラーチェックデータ
ＩＤ  特定データ
【図１】
0003630743.tif 000002
【図２】
0003630743.tif 000003
【図３】
0003630743.tif 000004
【図４】
0003630743.tif 000005